【手続補正書】
【提出日】平成17年8月29日(2005.8.29)
【手続補正１】
【補正対象書類名】明細書
【補正対象項目名】発明の名称
【補正方法】変更
【補正の内容】
【発明の名称】画像処理装置、画像処理方法
【手続補正２】
【補正対象書類名】明細書
【補正対象項目名】特許請求の範囲
【補正方法】変更
【補正の内容】
【特許請求の範囲】
【請求項１】
画像の彩度を強調するモードを備える画像処理装置であって、
画像に対して所定の画像処理を施す画像処理手段と、
前記モードが指定された場合、前記画像処理手段により所定の画像処理が施された画像に対して彩度強調処理を行う彩度強調手段と、
前記モードが指定された場合、前記彩度強調が施された画像のデータを、当該画像が属する第１の色空間よりも広い色空間である第２の色空間において処理する処理手段と
を備えることを特徴とする画像処理装置。
【請求項２】
前記画像処理手段は画像の色相の補正処理を行うことを特徴とする請求項１に記載の画像処理装置。
【請求項３】
前記モードの使用、不使用は切り替え可能であることを特徴とする請求項１に記載の画像処理装置。
【請求項４】
前記処理手段は、前記モードが指定された場合、前記彩度強調が施された画像のデータを、前記第２の色空間に収まるようにクリッピングし、当該データ、もしくは当該クリッピング後のデータに対して圧縮することを特徴とする請求項１に記載の画像処理装置。
【請求項５】
画像の彩度を強調するモードを備える画像処理装置であって、
前記画像に対して所定の画像処理を施す画像処理手段と、
前記モードが指定された場合、前記画像処理手段により所定の画像処理が施された画像に対して彩度強調処理を行う彩度強調手段と、
前記モードが指定された場合、前記彩度強調手段により彩度強調が施された画像において、当該画像に使用されている色が第３の色空間に収まらない画素の数をカウントするカウント手段と、
前記モードが指定された場合、前記カウント手段によりカウントされた画素の数に応じて前記画像が属する第１の色空間よりも広い色空間である第２の色空間、もしくは前記第３の色空間のいずれかにおいて前記彩度強調が施された画像を処理する処理手段と
を備えることを特徴とする画像処理装置。
【請求項６】
前記第３の色空間は、所定の規格に従った標準の色空間であることを特徴とする請求項５に記載の画像処理装置。
【請求項７】
画像の彩度を強調するモードを備える画像処理方法であって、
前記画像に対して所定の画像処理を施す画像処理工程と、
前記モードが指定された場合、前記画像処理工程で所定の画像処理が施された画像に対して彩度強調処理を行う彩度強調工程と、
前記モードが指定された場合、前記彩度強調が施された画像のデータを、当該画像が属する第１の色空間よりも広い色空間である第２の色空間において処理する処理工程と
を備えることを特徴とする画像処理方法。
【請求項８】
画像の彩度を強調するモードを備える画像処理方法であって、
前記画像に対して所定の画像処理を施す画像処理工程と、
前記モードが指定された場合、前記画像処理工程で所定の画像処理が施された画像に対して彩度強調処理を行う彩度強調工程と、
前記モードが指定された場合、前記彩度強調工程で彩度強調が施された画像において、当該画像に使用されている色が第３の色空間に収まらない画素の数をカウントするカウント工程と、
前記モードが指定された場合、当該カウント工程でカウントされた画素の数に応じて前記画像が属する第１の色空間よりも広い色空間である第２の色空間、もしくは前記第３の色空間のいずれかにおいて前記彩度強調が施された画像を処理する処理工程と
を備えることを特徴とする画像処理方法。
【請求項９】
コンピュータを請求項１乃至６の何れか１項に記載の画像処理装置として機能させることを特徴とするプログラム。
【請求項１０】
コンピュータに請求項７又は８に記載の画像処理方法を実行させることを特徴とするプログラム。
【請求項１１】
請求項９又は１０に記載のプログラムを格納することを特徴とするコンピュータ読み取り可能な記憶媒体。
【手続補正３】
【補正対象書類名】明細書
【補正対象項目名】０００６
【補正方法】変更
【補正の内容】
【０００６】
【課題を解決するための手段】
本発明の目的を達成するために、例えば本発明の画像処理装置は以下の構成を備える。
【手続補正４】
【補正対象書類名】明細書
【補正対象項目名】０００７
【補正方法】変更
【補正の内容】
【０００７】
すなわち、画像の彩度を強調するモードを備える画像処理装置であって、
画像に対して所定の画像処理を施す画像処理手段と、
前記モードが指定された場合、前記画像処理手段により所定の画像処理が施された画像に対して彩度強調処理を行う彩度強調手段と、
前記モードが指定された場合、前記彩度強調が施された画像のデータを、当該画像が属する第１の色空間よりも広い色空間である第２の色空間において処理する処理手段と
を備えることを特徴とする。
本発明の目的を達成するために、例えば本発明の画像処理装置は以下の構成を備える。
すなわち、画像の彩度を強調するモードを備える画像処理装置であって、
前記画像に対して所定の画像処理を施す画像処理手段と、
前記モードが指定された場合、前記画像処理手段により所定の画像処理が施された画像に対して彩度強調処理を行う彩度強調手段と、
前記モードが指定された場合、前記彩度強調手段により彩度強調が施された画像において、当該画像に使用されている色が第３の色空間に収まらない画素の数をカウントするカウント手段と、
前記モードが指定された場合、前記カウント手段によりカウントされた画素の数に応じて前記画像が属する第１の色空間よりも広い色空間である第２の色空間、もしくは前記第３の色空間のいずれかにおいて前記彩度強調が施された画像を処理する処理手段と
を備えることを特徴とする。
本発明の目的を達成するために、例えば本発明の画像処理方法は以下の構成を備える。
すなわち、画像の彩度を強調するモードを備える画像処理方法であって、
前記画像に対して所定の画像処理を施す画像処理工程と、
前記モードが指定された場合、前記画像処理工程で所定の画像処理が施された画像に対して彩度強調処理を行う彩度強調工程と、
前記モードが指定された場合、前記彩度強調が施された画像のデータを、当該画像が属する第１の色空間よりも広い色空間である第２の色空間において処理する処理工程と
を備えることを特徴とする。
本発明の目的を達成するために、例えば本発明の画像処理方法は以下の構成を備える。
すなわち、画像の彩度を強調するモードを備える画像処理方法であって、
前記画像に対して所定の画像処理を施す画像処理工程と、
前記モードが指定された場合、前記画像処理工程で所定の画像処理が施された画像に対して彩度強調処理を行う彩度強調工程と、
前記モードが指定された場合、前記彩度強調工程で彩度強調が施された画像において、当該画像に使用されている色が第３の色空間に収まらない画素の数をカウントするカウント工程と、
前記モードが指定された場合、当該カウント工程でカウントされた画素の数に応じて前記画像が属する第１の色空間よりも広い色空間である第２の色空間、もしくは前記第３の色空間のいずれかにおいて前記彩度強調が施された画像を処理する処理工程と
を備えることを特徴とする。
【手続補正５】
【補正対象書類名】明細書
【補正対象項目名】００５６
【補正方法】削除
【補正の内容】
【手続補正６】
【補正対象書類名】明細書
【補正対象項目名】００５７
【補正方法】削除
【補正の内容】
【手続補正７】
【補正対象書類名】明細書
【補正対象項目名】００５８
【補正方法】削除
【補正の内容】
【手続補正８】
【補正対象書類名】明細書
【補正対象項目名】００５９
【補正方法】削除
【補正の内容】
【手続補正９】
【補正対象書類名】明細書
【補正対象項目名】００６０
【補正方法】削除
【補正の内容】
【手続補正１０】
【補正対象書類名】明細書
【補正対象項目名】００６１
【補正方法】削除
【補正の内容】
【手続補正１１】
【補正対象書類名】明細書
【補正対象項目名】００６２
【補正方法】削除
【補正の内容】
【手続補正１２】
【補正対象書類名】明細書
【補正対象項目名】００６３
【補正方法】削除
【補正の内容】
【手続補正１３】
【補正対象書類名】明細書
【補正対象項目名】００６４
【補正方法】削除
【補正の内容】
【手続補正１４】
【補正対象書類名】明細書
【補正対象項目名】００６５
【補正方法】削除
【補正の内容】
【手続補正１５】
【補正対象書類名】明細書
【補正対象項目名】００６６
【補正方法】削除
【補正の内容】
【手続補正１６】
【補正対象書類名】明細書
【補正対象項目名】００６７
【補正方法】削除
【補正の内容】